(57)【特許請求の範囲】
【請求項１】
作動油が収容されたシリンダと該シリンダ内で該シリンダの軸線方向に変位自在に設けられて変位に伴って前記作動油を流動させるピストンとを備えて、前記シリンダ及びピストンの一方及び他方がそれぞれ自動二輪車の車体のフレーム及び操舵部材に連結されたステアリングダンパと、前記ピストンの変位速度と前記作動油からピストンに与えられる制動力の大きさとの間の関係を与える前記ステアリングダンパの動作特性を制御する制御部とを備え、前記車体のフレームと操舵部材との間に生じる相対的な変位に応じて前記ピストンを変位させることにより前記操舵部材とフレームとの間の変位を抑制する制動力を発生させる自動二輪車用ステアリング緩衝装置であって、
電気的な制御信号の大きさに応じて前記ステアリングダンパの動作特性を調節する動作特性調節部と、前記車体の傾斜角を検出する車体傾斜角検出器と、前記操舵部材の操舵角を検出する操舵角検出器とを備え、
前記制御部は、前記操舵角検出器により検出された操舵角が前記車体傾斜角検出器により検出されている傾斜角に対して設定された設定領域にあるときに前記ピストンに働く制動力を弱くし、検出された操舵角が前記設定領域から外れて大きくなっているときには該操舵角が前記設定領域から外れている度合が大きい場合ほど前記ピストンに働く制動力を強くするように、前記車体傾斜角検出器により検出された傾斜角と、前記操舵角検出器により検出された操舵角との双方に対して前記制御信号の大きさを決定すること、
を特徴とする自動二輪車用ステアリング緩衝装置。
【請求項２】
前記ステアリングダンパは、前記ピストンにより仕切られる主流路と、前記ピストンの前後の主流路を相互に連通させるバイパス流路とを前記シリンダ内に有し、
前記動作特性調節部は、前記シリンダの側壁部を貫通して前記バイパス流路内に進退し得るように設けられて、前記バイパス流路内への進入量に応じて前記バイパス流路内を流れる作動油の単位時間当たりの流量を調節する弁体と、前記制御信号に応じて前記弁体を駆動して前記弁体のバイパス流路内への進入量を変化させる電気式アクチュエータとを備えている請求項１に記載の自動二輪車用ステアリング緩衝装置。
【請求項３】
前記制御部は、前記操舵角検出器により検出された操舵角が前記車体傾斜角検出器により検出されている傾斜角に対して設定された前記設定領域にあるときに前記弁体のバイパス流路内への進入量を少なくし、検出された操舵角が前記設定領域から外れて大きくなっているときには該操舵角が設定領域から外れている度合が大きい場合ほど前記弁体のバイパス流路内への進入量を多くするように、前記車体傾斜角検出器により検出された傾斜角と、前記操舵角検出器により検出された操舵角との双方に対して前記制御信号の大きさを決定すること、
を特徴とする請求項２に記載の自動二輪車用ステアリング緩衝装置。
【請求項４】
前記車体の各傾斜角に対して設定されている操舵角の設定領域は、前記自動二輪車を傾斜させてコーナリングを行う際にその走行状態に対して干渉しない操舵角の範囲であるニュートラルステア領域に等しく設定されているか、又は該ニュートラルステア領域よりも狭く、かつコーナリング走行以外の走行状態で走行しているときに生じ得る操舵角の変動範囲よりは広い範囲に設定されていることを特徴とする請求項１、２または３に記載の自動二輪車用ステアリング緩衝装置。
【発明の詳細な説明】
【技術分野】
【０００１】
本発明は、自動二輪車に設けるステアリング緩衝装置に関するものである。
【背景技術】
【０００２】
自動二輪車において、路面からステアリングに伝達される衝撃を緩和するために用いるステアリング緩衝装置として、特許文献１に示されたものが知られている。この緩衝装置は、作動油が収容されたシリンダと該シリンダ内で該シリンダの軸線方向に変位自在に設けられて変位に伴って作動油を流動させるピストンとを有して、車両の操舵部材の変位に応動してピストンを変位させることにより操舵部材の変位を抑制するための制動力（減衰力）を生じるように設けられたステアリングダンパと、ステアリングダンパの動作特性を車両の走行速度と、操舵角の変化速度とに対して制御する制御部とを備えている。この種のステアリングダンパは、ピストンの変位速度の増大に伴って、操舵部材に働く制動力が増大するような動作特性を有している。特許文献１に示された緩衝装置においては、車両が低速及び中速で走行しているときには操舵角が急激に変化した場合（急ハンドルが切られた場合）にのみ大きな制動力を発生させ、車両が高速で走行しているとき及び加速状態にあるときには常に大きい制動力を発生させるように、ステアリングダンパの動作特性を制御している。
【先行技術文献】
【特許文献】
【０００３】
【特許文献１】特開２００９−１２５３０号公報
【発明の開示】
【発明が解決しようとする課題】
【０００４】
特許文献１に示されたステアリング緩衝装置においては、車速と操舵角の変化率とに対してステアリングダンパの制動特性を制御しているが、車体の傾斜角は考慮していない。自動二輪車においては、低速走行状態で車体を傾斜させながらコーナーを走行している際に、ハンドルをイン側に深く切りすぎると、スリップして転倒するおそれがあるが、特許文献１に示された緩衝装置では、車体の傾斜角を制御条件としていないため、このような走行状態での安全性を確保するための制御を行うことができない。
【０００５】
本発明の目的は、直立走行時のハンドルの操作性を損なうことなく、コーナリング時に転倒事故が発生するのを抑制することができるようにした自動二輪車用ステアリング緩衝装置を提供することにある。
【課題を解決するための手段】
【０００６】
本発明は、作動油が収容されたシリンダと該シリンダ内で該シリンダの軸線方向に変位自在に設けられて変位に伴って作動油を流動させるピストンとを備えて、シリンダ及びピストンの一方及び他方がそれぞれ自動二輪車の車体のフレーム及び操舵部材に連結されたステアリングダンパと、ピストンの変位速度と作動油からピストンに与えられる制動力の大きさとの間の関係を与えるステアリングダンパの動作特性を制御する制御部とを備えて、車体のフレームと操舵部材との間に生じる相対的な変位に応じてピストンを変位させることにより操舵部材とフレームとの間の変位を抑制する制動力を発生させる自動二輪車用ステアリング緩衝装置を対象とする。
【０００７】
本発明においては、電気的な制御信号の大きさに応じてステアリングダンパの動作特性を調節する動作特性調節部と、車体の傾斜角を検出する車体傾斜角検出器と、操舵部材の操舵角を検出する操舵角検出器とを備え、制御部は、操舵角検出器により検出された操舵角が車体傾斜角検出器により検出されている傾斜角に対して設定された設定領域にあるときにピストンに働く制動力を弱くし、検出された操舵角が設定領域から外れて大きくなっているときには該操舵角が前記設定領域から外れている度合が大きい場合ほどピストンに働く制動力を強くするように、車体傾斜角検出器により検出された傾斜角と、操舵角検出器により検出された操舵角との双方に対して制御信号の大きさを決定する。
【０００８】
上記のように構成すると、車体の各傾斜角に対して設定する操舵角の設定領域を適正に設定しておくことにより、車体を傾斜させてコーナリング走行をしている状態で、運転者が操舵部材をイン側に変化させる操作を行なおうとしたときに、操舵部材に働く制動力を増大させて、運転者が操舵部材をイン側に操作するのを抑制することができるため、操舵部材をイン側に切りすぎて、転倒事故が発生する危険性を減らすことができる。
【０００９】
車体を直立させて直立走行を行っているときには、操舵角は設定領域にあるので、直立走行時に操舵部材に働く制動力を弱くすることができる。従って、直立走行時に操舵部材に作用する制動力が強くなって操舵部材の操作性が損なわれることはない。
【００１０】
本発明の好ましい態様で用いるステアリングダンパは、ピストンにより仕切られる主流路と、ピストンの前後の主流路を相互に連通させるバイパス流路とをシリンダ内に有していて、ピストンの変位に伴ってピストンの変位方向の前方の主流路内からバイパス流路を通してピストンの後方の主流路に流れる作動油の流れを生じさせることにより、制動力を発生させるように構成されている。この場合、ステアリングダンパの動作特性を調節する動作特性調節部は、シリンダの側壁部を貫通してバイパス流路内に進退し得るように設けられて、バイパス流路内への進入量に応じてバイパス流路内を流れる作動油の単位時間当たりの流量を調節する弁体と、制御信号に応じて弁体を駆動して弁体の進入量を変化させる電気式アクチュエータとにより構成することができる。
【００１１】
上記のようにステアリングダンパ及び動作特性調節部を構成する場合、制御部は、操舵角検出器により検出された操舵角が、車体傾斜角検出器により検出されている傾斜角に対して設定された設定領域にあるときに弁体のバイパス流路内への進入量を少なくし、検出された操舵角が設定領域から外れて大きくなっているときには該操舵角が設定領域から外れている度合が大きい場合ほど弁体のバイパス流路内への進入量を多くするように、車体傾斜角検出器により検出された傾斜角と、操舵角検出器により検出された操舵角との双方に対して制御信号の大きさを決定する。
【００１２】
上記車体の各傾斜角に対して設定する操舵角の設定領域は、自動二輪車を傾斜させてコーナリングを行う際にその走行状態に対して干渉しない操舵角の範囲であるニュートラルステア領域に等しく設定するか、又は該ニュートラルステア領域よりも狭く、かつコーナリング走行以外の走行状態で走行しているときに生じ得る操舵角の変動範囲よりは広い範囲に設定するのが好ましい。
【発明の効果】
【００１３】
本発明によれば、車体傾斜角検出器により検出された各傾斜角に対して操舵角検出器により検出された操舵角が、車体傾斜角検出器により検出された各傾斜角に対して設定された設定領域にあるときにピストンに働く制動力を弱くし、検出された操舵角が上記設定領域から外れて大きくなっているときには該操舵角が該設定領域から外れている度合が大きい場合ほどピストンに働く制動力を強くするように、車体の傾斜角と操舵角との双方に対して、ステアリングダンパの動作特性を制御するようにしたので、車体を傾斜させてコーナリング走行をしている状態で、運転者が操舵部材をイン側に変化させる操作を行なおうとしたときに、操舵部材に働く制動力を増大させて、運転者が操舵部材をイン側に操作するのを抑制することができ、コーナリング時に操舵部材をイン側に切りすぎて、転倒事故が発生する危険性を減らすことができる。また車体を直立させた状態で走行しているときには操舵部材に働く制動力を弱くすることができるため、直立走行時の操舵部材の取り回しを容易にすることができる。従って本発明によれば、直立走行時の操舵部材の操作性を何ら損なうことなく、コーナリング時の転倒の危険性を減らして、安全性を向上させることができる。
【図面の簡単な説明】
【００１４】
【図１】本発明の一実施形態に係わる緩衝装置の構成を概略的に示した構成図である    。
【図２】本発明の実施形態においてステアリングダンパの調節部に与える制御信号の    大きさを決定する演算を行なう際に用いるマップの構造を説明するためのグラフであ    る。
【図３】ステアリングダンパの動作特性の一例を示したグラフである。
【図４】本発明の実施形態において制御部を構成するＥＣＵのＣＰＵに実行させるタ    スク処理のアルゴリズムの一例を示すフローチャートである。
【発明を実施するための形態】
【００１５】
以下図面を参照して本発明を自動二輪車に適用する場合の一実施形態を詳細に説明する。
図１は、本発明の一実施形態に係わる緩衝装置の構成を概略的に示した構成図で、同図において、１はステアリングダンパ、２はステアリングダンパの動作特性を制御する制御部を構成する電子式制御装置（ＥＣＵ）、３は自動二輪車の車体である。
【００１６】
車体３は、フレーム４と、フレーム４に回転自在に支持された操舵軸７と、操舵軸７の上端に固定されたトップブリッジ８と、トップブリッジ８を介して連結された左右の操舵部材(操作ハンドル）９，９とを備えている。図示してないが、操舵軸７は、前輪を支持したフロントフォークにトップブリッジ８及びボトムブリッジ（図示せず。）を介して連結されている。車体３は更に後輪や、後輪を駆動する原動機等を備えているがこれらの図示は省略されている。
【００１７】
ステアリングダンパ１は、シリンダ１０と、シリンダ１０内に設けられた円筒状のピストン収容室１０ａ内に嵌合されてシリンダ内でシリンダの軸線方向に変位するピストン１１とを有し、シリンダ収容室１０ａが作動油の主流路１２を形成している。主流路１２は、ピストン１１により第１の主流路１２Ａと、第２の主流路１２Ｂとに仕切られている。
【００１８】
シリンダ１０内にはまた、主流路１２の側方をシリンダの軸線方向に伸びるバイパス流路１３が形成され、このバイパス流路により第１の主流路１２Ａと第２の主流路１２Ｂとが連通させられている。ピストン１１には、シリンダ１０の軸線方向に伸びるピストンロッド１４が取り付けられている。ピストンロッド１４の一端はシリンダ１０の軸線方向の一端側の端部壁１０ｂをスライド自在に貫通して外部に導出され、ピストンロッド１４の他端は、シリンダ１０の軸線方向の他端側の端部壁１０ｃをスライド自在に貫通して外部に導出されている。主流路１２内及びバイパス流路１３内には作動油１５が収容されている。
【００１９】
ピストンロッド１４の一端は、トップブリッジ８に一端が枢支されたレバー１６の他端にピン１７を介して連結されている。ステアリングダンパ１は、シリンダ１０を自動二輪車の車体のフレーム４に固定し、ピストンロッド１４をレバー１６を介してトップブリッジ８に連結した状態で、操舵部材９，９とフレーム４との間に取り付けられている。
【００２０】
従って、操舵部材９，９が操作されて操舵軸７を中心に回動させられると、ピストン１１がシリンダ１０の軸線方向に変位させられる。図示の例では、操舵部材９、９が図面上時計方向に変位させられたとき(ハンドルが右に切られたとき)にピストン１１が図において上方向に変位して第１の主流路１２Ａ内の作動油１５をバイパス流路１３内を通して第２の主流路１２Ｂ側に流す。また、操舵部材９、９が図面上反時計方向に変位させられたとき(ハンドルが左に切られたとき)には、ピストン１１が図において下方向に変位して第２の主流路１２Ｂ内の作動油１５をバイパス流路１３内を通して第１の主流路１２Ａ側に流す。これらの作動油の流れに伴ってピストンに制動力が作用する。
【００２１】
ピストン１１がゆっくりと変位しているときには、作動油１５がピストン１１の変位にほぼ追従して流れることができるため、ピストンに働く制動力は弱いが、ピストン１１の変位速度が上昇しようとすると、作動油がピストンの変位に追従して流れることができなくなるため、ピストン１１に作用する制動力が強くなり、ピストンの変位が抑えられる。従って、ピストン１１に働く制動力は、ピストン１１の変位速度にほぼ比例して増大していく。
【００２２】
ピストン１１に作用する制動力は、車体のフレーム４及び操舵部材９，９に伝達されるため、車体のフレーム４と操舵部材９，９との間に生じる相対的な変位に制動がかけられる。これにより、路面から車体のフレーム４及び操舵軸７を通して操舵部材９，９に伝達される力が減衰させられて、路面から伝達される力によって操舵部材に振れが生じるのが防止されるとともに、運転者から操舵部材９，９に与えられる操作力に抗する適度な抵抗力が生じさせられて、操舵部材の操作感が適度に調整される。
【００２３】
ステアリングダンパ１が生じる制動力（減衰力）とピストンの変位速度との間の関係を与えるステアリングダンパの動作特性は、単位時間当たりにバイパス流路１３内を流れる作動油の流量を調整することにより適宜に調整することができる。ステアリングダンパ１の動作特性を調整するため、本実施形態においては、電気的な制御信号Ｖｓの大きさに応じてステアリングダンパの動作特性を調節する動作特性調節部２１が設けられている。図示の動作特性調節部２１は、シリンダ１０の側壁部をスライド自在に貫通してバイパス流路１３内に進退し得るように設けられて、バイパス流路１３内への進入量に応じてバイパス流路内を流れる作動油の単位時間当たりの流量を調節する弁体２２と、制御信号Ｖｓに応じて弁体を駆動して弁体２２のバイパス流路内へ進入量を変化させる電気式アクチュエータ２３とからなっている。弁体２２としては例えばニードル状ないしは棒状のものを用いることができ、電気式アクチュエータ２３としては、電磁石を駆動源として用いたソレノイドアクチュエータや、リニアモータを駆動源として弁体を変位させるようにしたもの、或いはモータの回転を減速するとともに直線変位に変換して弁体２２に伝達するようにしたもの等を用いることができる。弁体２２は、バイパス流路１３から後退する側に（バイパス流量を最大にする側に）図示しない復帰バネにより付勢されている。
【００２４】
図１に示されたステアリングダンパにおいては、弁体２２のバイパス流路１３内への進入量を変化させることにより、図３に示すようにステアリングダンパの動作特性を変化させることができる。図３の横軸はピストン１１の変位速度（単位時間当たりの変位量）を示しており、縦軸はピストンに働く制動力を示している。またＳ0 ないしＳ4 （Ｓ0 ＜Ｓ1 ＜Ｓ2 ＜Ｓ3 ＜Ｓ4 ）は、弁体２２のバイパス流路側への変位量（ストローク）を示している。弁体２２のストローク量を大きくしていく（バイパス流路内を流れる作動油の単位時間当たりの流量を少なくしていく）ことにより、ピストンの変位速度の単位増加量当たりの制動力の増加量を多くしていくことができる。
【００２５】
本発明においては、車体の傾斜角と操舵角との双方に対してステアリングダンパの動作特性を調整するための制御を行わせる。そのため、本実施形態においては、自動二輪車の車体の傾斜角を検出する車体傾斜角検出器３１と、操舵部材９の操舵角を検出する操舵角検出器３２とが設けられている。
【００２６】
車体傾斜角検出器３１は、自動二輪車の後輪（駆動輪）の回転軸の中心軸線と直交する平面が鉛直面に対してなす角度を車体の傾斜角として検出する検出器である。この車体傾斜角検出器としては、例えば、１軸型または２軸型の加速度センサを利用して傾斜角を検出する公知のものを用いることができる。
【００２７】
操舵角検出器３２は、操舵部材９のニュートラル位置に対する操作角度を操舵角として検出する検出器で、この操舵角検出器としては、ポテンショメータ、レゾルバ、或いは磁気エンコーダと磁気センサを組み合わせた非接触式の角度センサ等を用いることができる。
【００２８】
車体傾斜角検出器３１及び操舵角検出器３２により検出された車体傾斜角及び操舵角は、中央演算処理装置ＣＰＵ、ＲＯＭやＥＥＰＲＯＭなどの不揮発性メモリ、一次記憶メモリＲＡＭ及び各種のインターフェースなどを有するマイクロプロセッサを備えた電子式制御装置（ＥＣＵ）２に入力されている。ＥＣＵ２は、車体傾斜角と操舵角とに対してステアリングダンパ１の動作特性を制御する制御部を構成する。この制御部は、操舵角検出器３２により検出された操舵角が車体傾斜角検出器３１により検出されている傾斜角に対して設定された設定領域にあるときにピストンに働く制動力を弱くし、検出された操舵角が上記設定領域から外れて大きくなっているときには該操舵角が設定領域から外れている度合が大きい場合ほどピストン１１に働く制動力を強くするように、車体傾斜角検出器３１により検出された傾斜角と、操舵角検出器３２により検出された操舵角との双方に対して制御信号の大きさを決定する。
【００２９】
車体の各傾斜角に対して設定する操舵角の設定領域は、通常は、ニュートラルステア領域に設定すればよいが、安全をみて、ニュートラルステア領域よりも狭めに設定してもよい。ただし、コーナリング走行以外の走行状態での操舵性が損なわれるのを防止するため、直立走行に近い状態（コーナリング走行以外の走行状態）で走行しているときに生じ得る操舵角の変動範囲よりは広く設定しておく。以下の説明では、車体の各傾斜角に対して設定する操舵角の設定領域がニュートラルステア領域であるとする。なお操舵角のニュートラルステア領域とは、二輪車をバンク（傾斜）させてコーナリングする際に、その走行状態に対して干渉しない自然な操舵角の範囲を意味する。操舵部材をニュートラルステア領域を越えて内側に操作するとオーバステアとなって二輪車は内側に切れ込んでいき、逆に操舵部材をニュートラルステア領域を越えて外側に操作するとアンダーステアとなって二輪車は外側に大回りしていく。
【００３０】
ＥＣＵ２は、マイクロプロセッサに所定のプログラムを実行させることにより、車体の傾斜角と操舵角とに対して、所望の動作特性を得るための弁体２２のストローク量を演算するストローク量演算手段２０１を構成する。ストローク量演算手段２０１は、車体傾斜角と操舵角と弁体２２のストローク量（バイパス流路側への変位量）との間の関係を与える３次元マップを用いて、車体傾斜角と操舵角とに対して、弁体２２の適正なストローク量を演算する。ＥＣＵ２にはまたアクチュエータ駆動回路２０２が設けれていて、アクチュエータ駆動回路２０２からアクチュエータ２３に（動作特性調節部２１に）、演算されたストローク量だけ弁体２２を変位させるために必要な大きさの制御信号Ｖｓが与えられるようになっている。
【００３１】
本実施形態において、弁体２２のストローク量を演算する際に用いる３次元マップは、車体傾斜角検出器により検出された各傾斜角に対して操舵角検出器により検出された操舵角がニュートラルステア領域(設定領域）にあるときに弁体２２のバイパス流路１３内への進入量（ストローク量）を少なくし、検出された各傾斜角に対して検出された操舵角がニュートラルステア領域から外れているときには該操舵角がニュートラルステア領域から外れている度合が大きい場合ほど弁体２２のバイパス流路１３内への進入量を多くするよ
うに作成される。
【００３２】
図２は、上記３次元マップの構造の一例を示したもので、同図の横軸は車体の傾斜角を示しており、縦軸は操舵角を示している。図２に波線で示した曲線Ａの内側の斜線で示された領域が、操舵角のニュートラルステア領域であり、図中「少」は、弁体のストローク量を少なくする（ストローク量をゼロとする場合を含む。）ことを意味し、「多」は、弁体のストローク量を多くすることを意味している。操舵角がニュートラルステア領域にあるときの弁体のストローク量は一定でもよく、操舵角及び（または）車体の傾斜角に応じて多少変化させてもよいが、コーナリング走行以外の走行状態での操舵性を損なわないように（操舵部材に働く制動力が大きくなりすぎないように）するために、大きすぎないように設定しておく。
【００３３】
操舵角のニュートラルステア領域は、車体の傾斜角に応じて変化する。運転者はコーナに進入するときに、車速に応じて車体を傾斜させる。車速を遅くしてコーナを抜けるときには、車体の傾斜角を小さくしてコーナに進入し、車速を速くしてコーナを抜けるときには、車体の傾斜角を大きくしてコーナに進入するため、コーナリング時の車体の傾斜角には、車両の走行速度が反映されている。従って、車速を検出することなく、操舵角が車体の各傾斜角に対して設定された設定領域にあるか否かにより、ステアリングダンパの動作特性を変える制御を行なうことにより、コーナリング走行時に運転者が操舵部材を切りすぎるのを抑制する制御を的確に行なわせることができる。
【００３４】
制御部は、上記の３次元マップを用いて弁体のストローク量を演算して、弁体のストローク量を演算されたストローク量とするように、制御信号Ｖｓを動作特性調節部２１に与えることにより、車体の各傾斜角において操舵角がニュートラルステア領域内にあるときに弁体２２のストローク量を少なくし、操舵角がニュートラルステア領域から外れているときに、操舵角がニュートラルステア領域から外れている度合が大きい場合ほど弁体２２のストローク量を多くするように、車体の傾斜角と操舵角との双方に対してストローク量を制御して、ステアリングダンパ１の動作特性を調整する。
【００３５】
図４は、ＥＣＵ２のマイクロプロセッサが、ストローク量演算手段２０１を構成するために、一定の時間間隔で実行するタスク処理のアルゴリズムを示している。このタスク処理が開始されると、先ずステップＳ１０１で車体の傾斜角及び操舵角が読み込まれ、ステップＳ１０２で、不揮発性メモリに記憶された前述の３次元マップを用いて、車体の傾斜角及び操舵角に対して弁体のストローク量を演算する。次いでステップＳ１０３で弁体のストローク量を演算されたストローク量とするためにアクチュエータ２２に与える制御信号Ｖｓの大きさを求め、該制御信号Ｖｓをアクチュエータ駆動回路２０２から出力させてこの処理を終了する。
【００３６】
上記のように、操舵角がニュートラルステア領域から外れているときに操舵角がニュートラルステア領域から外れている度合が大きい場合ほどピストンに働く制動力を強くするように、車体の傾斜角と操舵角との双方に対して、ステアリングダンパの動作特性を制御するようにすると、車体を傾斜させてコーナリング走行をしている状態で、運転者が操舵部材をイン側に変化させる操作を行なおうとしたときに、操舵部材に働く制動力を増大させて、運転者が操舵部材をイン側に操作するのを抑制することができるため、操舵部材をイン側に切りすぎて、転倒事故が発生する危険性を減らすことができる。また車体を直立させた状態で走行しているときには操舵部材に働く制動力を弱くすることができるため、直立走行時の操舵部材の取り回しを容易にすることができる。
【００３７】
ステアリングダンパ１は、操舵部材と車体フレームとの間に生じる変位に応動してピストン１１に変位が生じるように、操舵部材と車体のフレームとの間に設けられればよく、
ステアリングダンパ１を車体に取り付ける構造は上記の例に限定されない。
【００３８】
上記の説明では、自動二輪車を例にとったが、コーナリング時に車体を傾斜させて走行することがある他の車両にも、本発明に係わるステアリング緩衝装置を適用することができる。
【００３９】
上記の説明では、ＥＣＵ２により、ステアリングダンパを制御する制御部のみを構成しているが、車両の駆動輪を駆動する原動機（例えばエンジン）や、原動機により駆動される発電機等の他の制御対象を制御するために車両に搭載されるＥＣＵを利用してステアリングダンパを制御する制御部を構成することができるのはもちろんである。
【符号の説明】
【００４０】
１  ステアリングダンパ
２  ＥＣＵ
３  車体
４  車体のフレーム
７  操舵軸
８  トップブリッジ
９  操舵部材
１０  シリンダ
１０ａ  ピストン収容室
１１  ピストン
１２  主流路
１２Ａ  第１の主流路
１２Ｂ  第２の主流路
１３  バイパス流路
１４  ピストンロッド
１５  作動油
２１  動作特性調節部
２２  弁体
２３  アクチュエータ
３１  車体傾斜角検出器
３２  操舵角検出器
２０１  ストローク演算手段
２０２  アクチュエータ駆動回路
【図１】
0005633427.tif 000002
【図２】
0005633427.tif 000003
【図３】
0005633427.tif 000004
【図４】
0005633427.tif 000005